(57)【特許請求の範囲】
【請求項１】
複数の投射チャンネルを有するマルチ開口投射型ディスプレイ用の単一像生成器であって、
様々な投射距離で投射されるべき（３８、４０）少なくとも２つの画像を表す画像データ（８４）を受信するための入力（８２）と、
前記マルチ開口投射型ディスプレイの投射チャンネル（１２）ごとに投射されるべき前記少なくとも２つの画像の各々のための暫定的単一像（４８、５０）を算出するために実装された単一像計算機（８６）と、
投射されるべき前記少なくとも２つの画像のために計算された前記それぞれの投射チャンネルの前記暫定的単一像を、それぞれの投射チャンネルについて、前記それぞれの投射チャンネルのために最終的単一像（３０）に結合するために実装された結合器（８８）と、を備え、
前記それぞれの投射チャンネルのための前記投射されるべき少なくとも２つの画像の全てについて算出された前記暫定的単一像の正重畳に関して、前記それぞれの投射チャンネルのための前記投射されるべき少なくとも２つの画像について算出された前記暫定的単一像が全て非ゼロ値である場所に比べると、前記それぞれの投射チャンネルのための前記投射されるべき少なくとも２つの画像について算出された、前記それぞれの投射チャンネルの暫定的単一像の少なくとも１つが非ゼロ値であり、且つ、前記それぞれの投射チャンネルのための前記投射されるべき少なくとも２つの画像について算出された、前記暫定的単一像のうちの少なくとも他の１つがゼロ値である場所において、前記それぞれの投射チャンネルの前記最終的単一像（３０）がより暗くなるようになっている、単一像生成器。
【請求項２】
前記結合器（８８）は、前記投射すべき少なくとも２つの画像について算出された前記それぞれの投射チャンネルの前記暫定的単一像間の論理演算を使用することにより、前記結合を実行するように実装されていることを特徴とする、請求項１に記載の単一像生成器。
【請求項３】
前記結合器（８８）は、前記論理演算が、前記それぞれの投射チャンネルの前記暫定的単一像の論理積結合または論理和結合を含むように実装されている、ことを特徴とする、請求項２に記載の単一像生成器。
【請求項４】
前記単一像計算機（８６）は、前記暫定的単一像が２値画像であるように、実装されていることを特徴とする、請求項１ないし３のいずれか１つに記載の単一像生成器。
【請求項５】
前記画像データ（８４）が前記投射されるべき少なくとも２つの画像を２値的に表すか、あるいは、前記単一像計算機（８６）が、前記投射されるべき少なくとも２つの画像の各々について、前記暫定的単一像は２値画像であるが、前記それぞれの投射されるべき画像までの前記それぞれの投射距離において３値あるいはそれ以上の値的に重畳されるように、前記計算を実行するように実装されていることを特徴とする、請求項１ないし４のいずれか１つに記載の単一像生成器。
【請求項６】
前記入力（８２）は、前記画像データにおいて、異なる投射距離であって、前記それぞれの投射距離に応じた均等スケーリングによって前記投射されるべき少なくとも２つの画像が生じる異なる投射距離に画像が含まれ、前記最終的単一像（３０）が増加した焦点深度を有する前記２値画像の投射をもたらすフォーマットで前記画像データを受信するように実装されていることを特徴とする、請求項４または５のいずれか１つに記載の単一像生成器。
【請求項７】
請求項１ないし６のいずれか１つに記載の単一像生成器を含むことを特徴とするマルチ開口投射型ディスプレイ。
【請求項８】
横方向に隣接する複数の投射チャンネル（１２）を含むマルチ開口投射型ディスプレイであって、投射チャンネルは、各々にそれぞれの単一像（３０）を生成するための１つの単一像生成器（１４）と、光学系の対物面（４２）に位置するそれぞれの単一像を前記マルチ開口投射型ディスプレイの投射方向（１８）にマッピングするための光学系（１６）とを含み、前記投射チャンネルの前記単一像は、前記投射チャンネルの前記単一像の前記マッピングが、それぞれ１つの各投射像（３８，４０）までの少なくとも２つの異なる投射距離で重畳されるように実装されており、
各投射チャンネルについて、それぞれの単一像生成器により生成された前記単一像は、前記それぞれの投射チャンネルの光学系を介した前記それぞれの投射チャンネルの前記光学系の前記対物面への前記投射像の前記異なる投射距離での前記逆投影の前記正重畳とは異なっていて、
前記光学系の対物面への前記投射像のうちの全ての前記異なる投射距離での逆投影が非ゼロ値である場所に比べると、
前記それぞれの投射チャンネルの前記光学系の前記対物面への前記投射像のうちの少なくとも１つの前記異なる投射距離での前記逆投影がゼロ値であり、且つ、前記それぞれの投射チャンネルの前記光学系の前記対物面への前記投射像のうちの少なくとも別の１つの前記異なる投射距離での前記逆投影が非ゼロ値である場所において、
各投射チャンネルの光学系の対物面への異なる投射距離で投射された画像の全ての逆投射が、非ゼロ値である箇所（５２）でよりも、前記それぞれの単一像生成器によって生成される前記単一像が、正重畳に関して、より暗くなるようになっていることを特徴とするマルチ開口投射型ディスプレイ。
【請求項９】
0006371377.tif 000021
し、Dは、前記横方向に隣接する複数の投射チャンネルの前記光学系の全体の瞳拡張であり、Lは、前記異なる投射距離の平均値であり、β＝０．００５である、ことを特徴とする請求項８に記載のマルチ開口投射型ディスプレイ。
【請求項１０】
前記単一像生成器（１４）は、前記複数の投射チャンネルの各々について、前記単一像（３０）が２値画像であるように実装されていることを特徴とする、請求項８または９に記載のマルチ開口投射型ディスプレイ。
【請求項１１】
前記単一像生成器（１４）は、前記投射像（３８，４０）が前記異なる投射距離において２値画像であるように実装され、かつ、前記複数の投射チャンネルの各々について、前記単一像は、前記それぞれの投射チャンネルの前記光学系を介した前記それぞれの投射チャンネルの前記光学系の前記対物面への前記異なる投射距離での前記投射像の逆投影の論理積または論理和演算を表すことを特徴とする、請求項１０に記載のマルチ開口投射型ディスプレイ。
【請求項１２】
前記単一像生成器は、前記マルチ開口投射型ディスプレイの光軸（３４）と前記マルチ開口投射型ディスプレイの前記光学系の入射瞳（２８）が配置される平面との交点への中心投射により、前記投射像が前記異なる投射距離で互いに変換され得るように実装されていることを特徴とする請求項８ないし１１のいずれか１つに記載のマルチ開口投射型ディスプレイ。
【請求項１３】
それぞれの投射チャンネルについて、前記各単一像生成器は、バックライトとシャドーマスクまたはフロントライトと反射マスクの縦続接続を含むことを特徴とする、請求項８ないし１１のいずれか１つに記載のマルチ開口投射型ディスプレイ。
【請求項１４】
前記投射チャンネルは、前記投射チャンネルの前記単一像の前記マッピングが前記少なくとも２つの異なる投射距離で重畳される前記投射像が、実像であるように実装されている、あるいは、前記投射チャンネルは、前記投射チャンネルの前記単一像の前記マッピングが前記少なくとも２つの異なる投射距離で重畳される前記投射像が、虚像であるように実装されていることを特徴とする、請求項７ないし１２のいずれか１つに記載のマルチ開口投射型ディスプレイ。
【請求項１５】
複数の投射チャンネルを含むマルチ開口投射型ディスプレイのための単一像生成方法であって、
異なる投射距離で投射されるべき少なくとも２つの画像を表す画像データを受信するステップと、
投射チャンネルごとに、前記投射されるべき少なくとも２つの画像の各々について暫定的単一像を計算するステップと、
各投射チャンネルについて、前記投射されるべき少なくとも２つの画像のために計算された前記それぞれの投射チャンネルの前記暫定的単一像を、前記それぞれの投射チャンネルのための最終的単一像に結合するステップとを含み、
それぞれの投射チャンネルについて、前記投射されるべき少なくとも２つの画像について算出された前記それぞれの投射チャンネルの前記暫定単一像を、前記それぞれの投射チャンネルのための最終的単一像に結合するステップは、
前記それぞれの投射チャンネルについて前記投射されるべき少なくとも２つの画像のために算出された前記暫定的単一像の全てが非ゼロ値である場所に比べて、前記それぞれの投射チャンネルについて前記投射されるべき少なくとも２つの画像のために算出された前記各投射チャンネルの前記暫定的単一像のうちの少なくとも１つが非ゼロ値であって、かつ、前記それぞれの投射チャンネルについて、前記投射されるべき少なくとも２つの画像のために算出された前記暫定的単一像のうちの少なくとも別の１つがゼロ値である場所において、
前記それぞれの投射チャンネルの前記最終単一像（３０）が、前記それぞれの投射チャンネルについて、前記投射されるべき少なくとも２つの画像の全てのために算出された前記暫定的単一像の正重畳に関して、より暗くなるようになっている、
単一像生成方法。
【請求項１６】
最終的単一像を得るための請求項１５の単一像生成方法と、
光マスクのアレイを製造して前記最終的単一像に相当させるようにするステップとを含む製造方法。
【請求項１７】
プログラムがコンピュータ上で実行されるときに、請求項１５の方法を実行するプログラムコードを有することを特徴とするコンピュータプログラム。
【発明の詳細な説明】
【技術分野】
【０００１】
本発明は、マルチ開口投射型ディスプレイおよびそのための単一像生成に関する。
【背景技術】
【０００２】
これまでのところ、満足のいく技術的なソリューションが、異なるジオメトリまたは投射距離上に様々なパターンをマッピングするために存在していない。いくつかのソリューションは、オブジェクト構造、例えばデジタルイメージャの形式等を変更することにより、あるいは、マッピング方程式によるマッピング光学系の機械的操作により、例えば、焦点距離または背面焦点距離を変更する等により、これらのマッピング特性を可能にする。しかしながら、この種のソリューションは、高価である。
【０００３】
今述べたマッピング特性の具体例は、定義された距離範囲全体の固定光パターンを維持することである。この特性は、光学系の焦点深度と同等である。
【０００４】
プロジェクタのスクリーン側の焦点深度（ＤｏＦ）は、幾何学的考察によれば、以下の関係によって（非特許文献１参照）図１３による投射距離Ｌ、瞳孔拡張Ｄおよび許容可能なぶれ角βより、生じる。
【０００５】
0006371377.tif 000002
【０００６】
かくして、式（１）および式（２）によれば、所定の距離Ｌおよび許容されたぶれ角βのための焦点深度の増加は、瞳孔サイズＤを減少することでのみ可能である。透過光束は、平面内の各物点の許容された立体角と比例していて、瞳孔領域Ｄ2を減少するときに、このように減少されもするので、これは、投射の輝度損失を伴う（非特許文献１参照）。
【０００７】
大きなプロジェクタ焦点深度を得るための代替的な方法は、スキャン画像蓄積を使用するレーザー照射されたＭＥＭＳミラーの使用である。小さいミラー領域により、同上は、大きな焦点深度を本質的に有する。しかしながら、良好な画像印象のために、同上は、コヒーレント光源および高速、可動な機械部材（ＭＥＭＳミラー）の両方を必要とし、それはそれらのロバスト性および応用可能性を秘めた場を制限する。更に、同上を最小化するための更なる技術的方策がとられない限り、このように生成された投射像は、コヒーレント効果、例えばスペックル、によって逆に影響され得る。
【０００８】
図１４は、マイクロプロジェクタ、すなわち、例えば、特許文献１に記載されたアレイプロジェクタ、のマルチ開口配置を示す。そこで使用されたマルチ開口方法は、得られ得る光束から投射システムのシステム取付け長を分離することを可能にし、コンパクトかつ、同時に、明るい投射システムを可能にする。この光学的方法に関する従来の刊行物は、各々対物レンズ９０２、対物構造／スライド９０３および投射光学系９０４を含むマイクロプロジェクタの規則的な二次元配列を記述している。全体の装置は、拡散あるいは平面光源９０１によりバックライト照明される。投射された全体画像は、正確な投射距離Ｌで全ての単一像の焦束された重畳から生じる。これは、式（３）により対応する投射レンズ９０４に関して個々のスライド９０３の明確に定義された装置により実行される。
【０００９】
0006371377.tif 000003
【００１０】
ここで、ｐは、個々の投射レンズ９０４間の中心開口距離を意味し、かつ、ｐ＋Δｐは、オブジェクト構造または単一像９０３間の中心距離を意味する。一般的なサイズのために、図１５を参照する。それは、ｓが画像距離、すなわち、単一像９０３およびそれぞれの投射光学系９０４間の距離を示す。そして、Ｆは、投射光学系９０４の焦点距離である。
【００１１】
個々の投射レンズ９０４の小開口のために、個々のプロジェクタの焦点深度は、非常に大きい（式（２）を参照）。ここで、個々の投射の過焦点距離は、一般に距離Ｌよりも著しく小さい。
【００１２】
全体の画像が全ての単一像の重畳により生じる設定された距離は、個々のプロジェクタ９０４の焦点距離／背面焦点距離およびレンズ９０４の対応する投射レンズアレイに関するオブジェクト構造９０３の中心距離差Δｐにより基本的に決定される（非特許文献２参照）。
【００１３】
このように、式３において、Ｆは、焦点距離に対応し、ｐは、投射レンズ９０４の距離もしくは中心距離に互いに対応し、かつΔｐは、スライド９０２およびレンズ９０４間の中心距離差に対応する。但し、ｓは、ＬおよびＦを結合することによる近軸マッピング方程式により生じる背面焦点距離を表す。式３から、個々のマイクロプロジェクタを重畳することにより投射された全体画像９０５の焦点深度は、幾何学的収差を無視することにより、マイクロプロジェクタアレイの横方向拡張Ｄに対応する瞳孔サイズを有する古典的な単一チャンネル照射の１つに対応することが生じる（非特許文献２参照）。
【００１４】
図１６は、例えば、図１３に例示的に、すなわち参照番号９０６で、示されるように、従来の単一チャンネルプロジェクタ、および、図１４および図１５による９０８で、単一プロジェクタレンズおよびアレイプロジェクタのぶれ挙動(blur behavior)を示す。すべてのシステムは、５３３ｍｍの設定された距離上で合焦される。それらが、曲線９０８により共通に表される限り、個々の投射チャンネルおよびアレイプロジェクタのぶれ挙動は、互いに対応する。これは、単一チャンネルプロジェクタおよび同じ瞳孔サイズの従来のアレイプロジェクタのぶれ挙動が、不感帯によって更なる収差および口径食効果を無視することにより互いに対応することを意味する。
【００１５】
異なる投射距離上の異なる画像、またはより客観的な方法でジオメトリの表示を可能にするシステムを有することは、望ましいであろう。
【先行技術文献】
【特許文献】
【００１６】
【特許文献１】独国特許出願公開第１０２００９０２４８９４号明細書
【特許文献２】独国特許出願公開第１０２０１１０７６０８３号明細書
【非特許文献】
【００１７】
【非特許文献１】W.J. Smith, Modern Optical Engineering (McGraw-Hill, 2007).
【非特許文献２】Marcel Sieler, Peter Schreiber, Peter Dannberg, Andreas Braeuer, and Andreas Tuennermann, "Ultraslim fixed pattern projectors with inherent homogenization of illumination," Appl. Opt. 51, 64-74 (2012).
【発明の概要】
【発明が解決しようとする課題】
【００１８】
本発明の目的は、上記を可能にする概念を提供することである。
【００１９】
この目的は、本出願中の独立請求項の主題によって解決される。
【００２０】
本発明に関する核となる概念は、静的に、または、いかなる調整も必要とすることなく、機械的でもイメージャででもなく、異なる投射距離でマルチ開口投射型ディスプレイにより投射されるべき画像を生成することが可能であるという発見であり、マルチ開口投射型ディスプレイの単一像が適切な方法で設計されるときに、すなわち、マルチ開口投射型ディスプレイの投射チャンネルのための暫定的単一像を結合することにより、少なくとも２つの画像の各々が実画像または最終的単一像に投射チャンネル毎に投射されることを目的とする。
【００２１】
実施例によれば、これは、各投射チャンネルに対し、最終的単一像が、投射されるべき画像を目的とした各投射チャンネルの暫定的単一像の部分が、ゼロに等しくない値をとり、例えば、透過的なあるいは明るい箇所で、少なくとも部分的に存在する箇所で、すなわち、投射されるべき少なくとも１つの画像の非ゼロ値部分であるが、その全部ではない部分が重畳される箇所で、全てを投射されるべき画像のために計算された各投射チャンネルの暫定的単一像の非ゼロ値部分が重畳される箇所でよりも各投射チャンネルの暫定的単一像の正重畳（positive superposition）に関してより暗くされるように実行される。組合せのために、例えば、論理演算、例えば論理積あるいは論理和演算が、投射されるべき画像を目的とした暫定的単一像の間で使用される。
【００２２】
このように、実施例によれば、複数の投射チャンネルを有するマルチ開口投射型ディスプレイのための単一像生成のために、少なくとも２つの画像が異なる投射距離で投射されるべき旨を表す画像データが使用され、かつ、投射されるべき少なくとも２つの画像の各々のために、暫定的単一像は、マルチ開口投射型ディスプレイの投射チャンネル毎に算出され、そこにおいて、結合器は、各投射チャンネルに対し、少なくとも２つの画像が各投射チャンネルのために最終的単一像に投射されるために算出されたそれぞれの投射チャンネルの暫定的単一像を結合するように実装されている。
【００２３】
しかしながら、実施例は、またマルチ開口投射型ディスプレイを提供し、そこにおいて、投射チャンネルの単一像のマッピングが少なくとも２つの異なる投射距離で各々１つの投射像に重畳されるように、投射チャンネルの単一像は、実現され、そこにおいて、単一像は、投射チャンネルの光学系の対物面への投射チャンネルの光学系を介して逆投射されたとき、全ての投射像の非ゼロ値の部分が互いに重畳された箇所でよりも、少なくとも部分的にしかしそれらの全ての重畳ではない投射チャンネルの光学系の対物面への投射チャンネルの光学系を介して逆投射されたときに、投射像の非ゼロ値部分が存在する箇所での正重畳に関してより暗くされる。
【００２４】
本発明の有利な実施態様は、従属クレームの主題であり、本願の好適な実施例は、図面に関して以下でより詳細に論ぜられる。
【図面の簡単な説明】
【００２５】
【図１】図１は、実際の投射を有する実施例による、マルチ開口投射型ディスプレイの三次元の概略図を示す図である。
【図２】図２は、光学系の相対位置を例示するための図１のマルチ開口投射型ディスプレイおよび例示的な実施例による個々のチャンネルの単一像の上面図を示す図である。
【図３】図３は、チャンネルの光学系の対物面に投射されるべき２つの画像の逆投射およびマスクデータまたは暫定的単一像の透過領域の論理積演算を図式的に示し、投射されるべき画像に多く見積もっても存在しているオブジェクト構造がより短い投射距離に割り当てられる様子を示す図である。
【図４ａ】図４ａは、最終的単一像を示す図３の論理積演算から生じるオブジェクト構造の上面図を示す図である。
【図４ｂ】図４ｂは、図４ａによる、最終的単一像を有するより短い投射距離で生じるように投射像で図４ａのチャンネル１２’の投射部分を示す図である。
【図４ｃ】図４ｃは、図４ａによる、最終的単一像を有するより短い投射距離で生じるように投射像で図４ａのチャンネル１２’’の投射部分を示す図である。
【図４ｄ】図４ｄは、図４ａによる、最終的単一像を有するより長い投射距離で生じるように、投射像で図４ａのチャンネル１２’の投射部分を示す図である。
【図４ｅ】図４ｅは、図４ａによる、最終的単一像を有するより長い投射距離で生じるように、投射像で図４ａのチャンネル１２’’の投射部分を示す図である。
【図５】図５は、明細書において使用するチャンネルにインデックスを付すための表記法と同様に正方形に配置されたプロジェクタレンズのアレイを、図式的に示す図である。
【図６】図６は、図１のマルチ開口投射型ディスプレイおよび焦点深度（ＥＤｏＦ）の拡張を生じる例示的な投射像の間の例示的な位置関係の三次元図を示し、特に、両方の設定された距離における設定された光分布が、マッピングスケールにより拡大された長方形の形でここに例示的に示される図である。
【図７】図７は、領域patternintersectionを有する最終的単一像がどのように交差検査によりパターンＬ1（１）およびパターンＬ2（２）の形状をした図５のプロジェクタチャンネル（２、４）におけるオブジェクト構造により生じるかについて説明している略図を示す図である。
【図８】図８は、異なる投射距離で従来のプロジェクタおよびＥＤｏＦを有するアレイプロジェクタによる明暗エッジのマッピング特性の比較を示す図である。
【図９】図９は、従来のプロジェクタおよびＥＤｏＦを有するアレイプロジェクタのエッジ展開挙動を図式的に示す図である。
【図１０】図１０は、実施例による単一像生成器のブロック図を図式的に示す図である。
【図１１】図１１は、実施例による仮想投射像を反映するための単一ミラーシステムの形で、マルチ開口投射型ディスプレイの概略空間図を示す図である。
【図１２】図１２は、瞑目アプリケーション(close eye application)のためのマルチ開口投射型ディスプレイおよび実施例による目への虚像投射のフェードインの断面図を示す図である。
【図１３】図１３は、単一開口プロジェクタおよびその焦点深度を例示するためのブロック線図を図式的に示す図である。
【図１４】図１４は、規則正しく配置された投射チャンネルを有するアレイプロジェクタの三次元図を図式的に示し、平面バックライトを有する正方形に密集された７×７の個別のプロジェクタの配置を例示的に示す図である。
【図１５】図１５は、焦点画像が投射チャンネルを重畳することにより生じる距離を決定するための２Ｄレイアウトを例示するための図１４の配置の図式的な横断面を示す図である。
【図１６】図１６は、焦点深度拡張のない従来の単一チャンネルプロジェクタ、単一投射チャンネルおよびアレイプロジェクタのぶれ挙動を示す図である。
【発明を実施するための形態】
【００２６】
本出願の特定の実施例を以下に述べるに先立ち、まず第一に、後述する実施例の基礎となる基本的なアイデアを記述する試みがなされる。後述する実施例は、例えば、異なるジオメトリまたは設定された距離上へいくつかの光パターンのマッピングを可能にするのに適している。その具体的事例は、拡大した距離範囲全体のマッピングスケールにより、唯一の光パターンを維持している。これは、焦点深度の拡張と呼ばれ得る。後述する実施例の基礎をなす原理を例示するために、この具体的事例が、最初に述べられる。
【００２７】
アレイプロジェクタまたはマルチ開口投射型ディスプレイのマッピング特性が、基礎である。マイクロプロジェクタの二次元配列または開口Ｄsingle＜１ｍｍを典型的に有する投射光学系によれば、比較的大きい焦点深度は、アレイに相当する全開口を有する単一チャンネルプロジェクタと比較して、個々のプロジェクタ、すなわち個々の投射チャンネルのために生じる。３００ｍｍ以上の典型的投射距離のために、各投射チャンネルの過焦点マッピングが存在する、すなわち、焦点深度範囲の真の遠距離ＬFは、存在しない。
【００２８】
次の実施例の出発点は、すべての投射光学系の光学的マッピングから生じる画像横の重畳が所望の焦点深度範囲内の全体の画像に建設的に寄与する、投射光学系の対物面内の特定のオブジェクト構造または単一像の生成である。図４Ｂによるマルチチャンネル投射型ディスプレイは、具体例と見なされる。投射型ディスプレイは、４００ｍｍのスクリーン距離に、例示的にセットされる。そのような方法でセットされて、各投射チャンネルは、例えば２００ｍｍから無限遠に伸びている焦点深度範囲を有する。上述の通り、アレイ全体は、入射瞳サイズＤ（図１５参照）を有する単一開口プロジェクタに類似していて、全部の光学系アレイの拡張を有し、単に焦点深度だけが３５０…４５０ｍｍから伸びる。個々のチャンネルの焦点深度をより良好に利用して、マルチチャンネル投射型ディスプレイの輝度を依然維持することが、目的である。以下の実施例は、以下の方法を使用する。投射されるべき画像が意図された焦点深度範囲内で見られ、かつ、焦点深度範囲内で、各投射距離に対し同上が投射チャンネルの対物面内において対応するオブジェクト構造へ追跡するとき、意図された焦点深度範囲内で任意の距離で投射されるべき画像に寄与する投射チャンネルの対物面における領域が存在することが分かる。以下の実施例は、画像が投射されるべき画像情報が、焦点深度範囲内で、全ての所望の距離が維持されるように、各チャンネル特有の全体像への寄与を操作することにより、この事実を利用する。これに対し、以下で説明されるように、投射されるべき画像の逆投射のオブジェクト構造が、焦点深度範囲内の様々な距離で部分的にのみ存在する、すなわち、それらの全部が重畳しない、投射チャンネルの対物面における位置は、暗くされるか、あるいは、除去さえされる。すなわち、例えば、以下の記載に示されるように、焦点深度範囲が実際に大きく増加するように、シャドーマスクがそこで遮られる。しかしながら、論理積演算に対応するこのハード手順は、修正され得る。
【００２９】
以下の実施例が示すように、異なる距離で投射される画像は、自己相似または、光投射により互いに変換され得る、投射されるべき画像に限られない。むしろ、いかなる画像コンテンツも、異なる投射距離で得られ得る。最初に、図１〜２に基づいて、チャンネルに従属する一連の思考または個々のオブジェクト構造の一つの画像コンテンツのための構成命令（construction instruction）は、拡張された焦点深度の特定のケースに基づいて記述されている。
【００３０】
最初に、描写は、明るい対象、ここでは２つの垂直スクリーン面上への文字「Ｆ」、の照射に基いてなされる。かなり長い（中間の）距離への拡張は、明らかで、以下に数学的に記述されてもいる。
【００３１】
このように、個々のオブジェクト構造または単一像の画像コンテンツは、チャンネルに依存する。同上の構成命令は、更に詳細に、最初に、拡張された焦点深度の特定の場合に基づいて記述されるが、異なる投射距離で異なる画像コンテンツが生成され得るという説明および表示が、続く。
【００３２】
まず第一に、図１は、実施例によるマルチ開口投射型ディスプレイの構造を示す。マルチ開口投射型ディスプレイは、横方向に隣接する複数の投射チャンネル１２、すなわち投射チャンネルアレイ、を含む。各投射チャンネルは、それぞれの単一像を生成するための単一像生成器１４およびマルチ開口投射型ディスプレイ１０の投射方向１８へ光学系１６の対物面４２に存在するそれぞれの単一像をマッピングするための光学系１６を有する。単一像生成器１４は、例えば、バックライトで照明され得るシャドーマスクである。同上は、例えば、一般のシャドーマスクの部分の中で形成され得る。単一像生成器１４は、しかしながら、自発光要素、例えばそれぞれのチャンネル１２のそれぞれの単一像に対応する照射領域を有するＯＬＥＤ等、でもあり得る。単一像生成器は、例えば、様々な画像コンテンツを表示し得るディスプレイでもあり得て、この場合、制御２０が、後でより詳述するように、単一像生成器の画像コンテンツをそれぞれの単一像に合わせるために存在するであろう。バックライトのために、存在するとすれば、例示的に図示するように、面光源２２が、あるいは、チャンネル１２毎に１つの光源が、使用され得る。面光源２２は、例えば、ＯＬＥＤ、ＬＥＤアレイまたは同様のものである。面光源２２は、すでに予め平行になったバックライト光を照射するために実現され得る。投射方向１８において、面光源２２、画像生成器１４および光学系１６は、バックライトが、単一像生成器１４の単一像の透過部分を通過して、単一像の明るい部分は光学系１６により投射方向１８にマップされ、以下で更に詳細に記述されているように、同上が投射されるべき画像を生じるために適切な方法で重畳されるように、縦続接続される。ケーラー（Ｋｏｅｈｌｅｒ）バックライトを任意に得るために、１つのコリメータ２４が、投射チャンネル１２毎に設けられ得る；このようにして、チャンネル１２を通過した光束、および、それ故、光収率は、増加され得る。
【００３３】
図２は、光学系１６のアレイを有するチャンネル１２のアレイの上面図を示し、その開口２６が正方形として例示的にここに示され、そして、その入射瞳位置２８は、例示的に星印によって示される。図２に見られ得るように、光学系は、行および列のアレイに規則正しく配置され得る、しかし、他のいかなる配置も可能である。加えて、入射瞳２８は、それぞれの開口２６に中央に配置され得るが、バリエーションの選択肢がここに同様に存在する。図２も、単一像生成器の単一像３０のアレイを示す。同上は、また、横方向の配置を形成する。特に、単一像３０は、入射瞳２８の横方向の配置と幾何学的に類似している横方向の配置に置かれる。図１の場合、同上は、入射瞳２８の配置から、入射瞳２８のアレイの中心３２周辺で、中心の拡張から生じる。任意には、入射瞳２８のアレイと関連した並進オフセットが、加えられ得る。ここで、単一像アレイの中心および入射瞳アレイの中心が、一致する。マルチ開口投射型ディスプレイ１０の光軸３４は、図１に示すように、ちょうど定められた中心を通過する。幾何学的相似性からの偏差も、例えば、湾曲したスクリーンジオメトリへの適応を実行するために可能である。これは、図２のケースではない。
【００３４】
更なる説明を続ける前に、いくつかの概説が、なされる。図１において、単一像生成器が、シャドーマスク１４、例えば暗い部分またはブロック部分および明るい部分または透過部分を有するクロムマスク、であると例示的に仮定された。しかしながら、バックライトの代わりにマスクの反射性も使用し得る。換言すれば、単一像生成器１４は、明るいまたは反射部分および暗いまたは非反射部分を有する反射マスクでもあり得る。フロントライトは、光学系アレイと単一像生成器アレイとの間に配置された光導波板により実現され得て、単一像生成器１４に面を向けているマスク１４の各部分で側面から照明され、それぞれの光を光学系１６に送る。自発光単一像生成器の場合、同様に、明るいあるいは自発光部分も存在しかつ暗いあるいは非発光部分も存在し、かつ、次に、明るい部分は、非ゼロ値部分と呼ばれることがあり、かつ、暗い部分は、ゼロ値部分と呼ばれることがある。OLEDは、固定された単一像およびディスプレイまたはイメージャ、例えばLCDまたは同様のもの、それぞれの画像コンテンツを変更し得る調整可能な単一像生成器のための実施例を形成するための選択肢である。上述のごとく、単一像生成器１４は、個々の単一像アレイ生成器の様々な部分、例えばマスク部分のアレイ、イメージャ部分のアレイを表し得る。
【００３５】
図１のｄによって例示的に示された、単一像への投射光学系１６または単一像生成器１４の距離または光学系１６のアレイおよび単一像１３のアレイまたは単一像生成器１４のアレイ間の距離は、個々の投射光学系１６の焦点距離Ｆにほぼ対応する。このように、個々のチャンネル１２に関して、単一像２６は、無限に達する非常に大きい焦点深度を有するそれぞれのチャンネル１２に特有の光軸３６に沿ってマップされる。すべての単一像３０が互いに等しい場合には、焦点画像は、単一像３０および入射瞳２８間の、上記に記載された中心距離差Δｐに依存する投射距離Ｌ1で生じる。
【００３６】
以下で更に詳細に定義されるように、図１の実施例によれば、単一像２６は、互いに等しくないが、むしろ、投射チャンネル１２の単一像３０のマッピングが少なくとも２つの異なる投射距離Ｌ1およびＬ2でそれぞれ１つの投射像３８または４０に重畳されるように、同上は、適切な方法で設計され、そこにおいて、光学系１６を介して対物面４２に逆投射されるときに、投射像３８および４０の非ゼロ値を有する部分が、全て互いに重畳される箇所でより、投射チャンネル１２の光学系１６を介して対物面４２に逆投射されるときに、単一像３０が存在するがそれら全ての重畳は存在しないところで投射像の非ゼロ値部分が少なくとも部分的に存在する箇所で正重畳に関して、単一像は、より暗くされる。以下では、取り敢えず、これがより詳細に説明されるが、差し当たり、スクリーンがマップ方向１８に投射型ディスプレイ１０の背後に配置されるように、スクリーンが投射型ディスプレイ１０の直前に保持される場合、このスクリーン上に投射された画像は、投射型ディスプレイ１０から距離Ｌ1およびＬ2で最大の焦点を持つことが分かる。以下でより詳述するように、単一像３０は、これらの距離のために特に設計されている。これらは、設定された距離である。これらの画像は、明るい部分４４および暗い部分４６を有する。図１の場合、これは、例示的に焦点深度拡張の場合であり、それ故、投射像３８および４０が中心の拡張または点３２上への投射、すなわち、光軸３４および入射瞳面間の交差により、互いに変換され得るが、以下のような状況で、これは単なる実施例であると記述されるであろう。これら投射像３８および４０の逆投射が、別々に考慮される場合、これら投射された画像３８または４０の各々は、明るい部分および暗い部分、すなわち、単一像が存在する対物面４２における非ゼロ値部分およびゼロ値部分を生成する。
【００３７】
異なる画像３８および４０の逆投射の非ゼロ値部分は、ある程度重複するのみである。画像３８および４０のうちの１つの少なくとも一つの非ゼロ値部分が逆投射のために存在するが、これら非ゼロ値部分は、完全に重複しない箇所で、すなわち、すべての画像３８および４０からではなく、すなわち、画像３８または４０のうちのわずか１つの明るい部分４４が逆投射される箇所で、単一像生成器１４の単一像３０は、現在暗くされている。すなわち、逆投射が加算的に、または、正重畳を得るための論理和演算によって結合された比較事例と比較して暗くされている。
【００３８】
上述した事項は、図１に示されたように具体例に基づき、すなわち、明るい対象の投射、ここでは距離Ｌ1およびＬ2での２つの垂直面（以下、しばしば単純化のため「スクリーン面」と称す）上への文字「Ｆ」への投射、に基づき、より詳細に説明される。そして、他の画像によるいくらかの（中間の）距離に対する拡張は、自明である。まず、設定された距離Ｌ1：Ｌ2＝１：２が考慮され、ここで、所望の重畳図（superposition figures）が、生じる。式（３）によれば、唯一のスライドアレイまたは暫定的単一像のアレイは、両方の設定された距離に対し生じる。両方のスライドアレイの透過領域の論理積演算（共通部分）によれば、両方の投射距離で建設的寄与（constructive contribution）を全体の画像に提供するそれらの領域要素だけは、維持される。図３は、例示的に、対物面４２上へ距離Ｌ1およびＬ2で図１に示される２つの投射像３８および４０の逆投射の結果の上面図を示し、図３の円は、例示的に光学系の開口２６の位置を示す。ここで、同上は、密集された六角形の配置の互いに隣接して位置するように、例示的に示される。これより上で、図３は、開口中心距離と比較してより小さい単一像中心距離を例示的に仮定し、この種の実施例は後述される。図３についての基本的な考えは、しかしながら、図１の実施例にも適用される、すなわち、距離Ｌ1を有するより近い画像３８の明るい部分４４の逆投射は、個々のチャンネルにおける対物面４２において非ゼロ値を有するあるいは明るい部分４８を生じ、これらの部分４８は、図３に、右上から左下まで斜線の付いた様式で示され、一方、より長い距離Ｌ2で投射像４０の明るい部分４４は、チャンネル１２における対物面４２において非ゼロ値を有するあるいは明るい部分５０を生じ、これらは、図３に、左上から右下まで斜線の付いた様式で図解される。より長い距離Ｌ2のために、画像４０の逆投射から生じている画像５０は、より短い距離Ｌ1で画像３８の逆投射から生じている画像４８より互いにより短い中心距離を有する。このために、明るい領域４８および５０が重複する共通部分または重複は、チャンネル毎に異なる。図３で分かるように、重複は、より小さい領域を有し、それぞれのチャンネルは、より大きくマルチ開口投射型ディスプレイの光軸３４から離れている。それぞれのチャンネルの両方の非ゼロ値を有する部分４８および５０が重複する共通部分のエリアは、図３において暗い領域５２により示される。
【００３９】
実施例によれば、共通部分エリア５２を越えた領域４８および５０が暗くなるように、各単一像３０が選択される。このように、マスクの実施例において、マスクは、そこで透過的ではない。同上は、重複領域５２において単に透過的である。これは、図３のように、対物面４２の上面図、すなわち単一像３０を生じる上面図を示す図４ａに再び描写され、その非ゼロ値を有する部分、例えば透過部分は、図３の共通部分領域５２に対応する。
【００４０】
図４ｂは、明るい部分４４に関してこの距離Ｌ1で画像３８における全てのチャンネルの単一像または明るい部分５２の重畳により生じるように、距離Ｌ1で例示的にとられたチャンネル１２’により生じた、例示的に寄与または明るい領域５３を示す。画像３８における距離Ｌ1で領域４４が依然“微細な”“Ｆ”を形成する理由の説明を試みるにあたり、図４ｃは、その他任意のチャンネル１２’’の単一像３０の透過領域から生じる寄与を示し、この領域は、全領域４４における相対位置における５３により再度示される。明らかに、同上は、距離Ｌ1でチャンネル１２’より領域４４の他の部分を覆う。図４ｄおよび４ｅは、距離Ｌ2のチャンネル１２’に対する図４ｄおよびチャンネル１２’’に対する図４ｅにおける投射像４０の明るい領域４４へのそれらの寄与５３による例示的に選択されたチャンネル１２’および１２’’の寄与５３を示す。また、それらは、画像の異なる部分または画像４０の明るい領域５４を覆う。また、他のチャンネルは、所要の領域４４においてちょうど生じる画像３８および４０における領域４４の他の範囲を覆う。
【００４１】
換言すれば、前述の実施例によれば、図４ａのマスクアレイを得るために、最初に、全体のオブジェクト構造のすべての要素のために、すなわち、マスク１４のマスクアレイの透過領域のために、同上が投射距離Ｌ1およびＬ2に属する全てのパターンに対し透過部分を提供するか、すなわち、同上が重複領域５３に存在するかがチェックされる。このチェックが肯定である場合、同上は維持され、さもなければ、同上は、結果として生じるオブジェクト構造またはマスクから、除去される、すなわち、この種の箇所は、暗くあるいは非透過とされる。数学的に、これは、要素または位置選択的論理積演算、すなわち、各々が投射距離に割当てられたすべてのオブジェクト構造４８，５０の共通部分５２に対応する。このように、図４Ａは、前述の共通部分チェックに従って生じるマスク構造を示す。
【００４２】
換言すれば、前記実施例によれば、唯一のスタンプまたは透過構造は、各チャンネルにおいて生成され、それは、両方ともまたはいくつかの設定された距離で、または、連続投射深さ領域においてさえそれぞれ設定された画像の輪郭または設定された画像がそれぞれの設定された距離で維持される全体の重畳への寄与を提供する。
【００４３】
距離に従う画像投射変数および拡張された焦点深度の双方の一貫した記述を続ける。
【００４４】
0006371377.tif 000004
【００４５】
0006371377.tif 000005
【００４６】
0006371377.tif 000006
【００４７】
0006371377.tif 000007
【００４８】
0006371377.tif 000008
【００４９】
この種の投射システムの全体の伝送は、個々のスライドの透過領域の合計と比例している。ここで、チャンネルAPattern(i,j)の照射された領域内容のために、以下が、適用される。
【００５０】
0006371377.tif 000009
【００５１】
ここで、Iは、指示関数（または、特性関数でもある）であって、以下の通りに定義される。
【００５２】
0006371377.tif 000010
【００５３】
すべての投射チャンネルの透過する全体の領域
【００５４】
0006371377.tif 000011
【００５５】
は、この方法により生成されたプロジェクタ配置の全体の伝送のために重要である。
【００５６】
実施例１として、中央に置かれた長方形は、スクリーン面において記載されている、（Ｌ1＝４００ｍｍ  計測幅×高さ＝Ｂ1  ×  Ｈ1＝５ｍｍ×２０ｍｍ、そして、スクリーン距離比率Ｌ2：Ｌ1＝２：１によればＬ2＝８００ｍｍにおいて）Ｂ2  ×  Ｈ2＝２・（Ｂ1  ×  Ｈ1）＝１０ｍｍ×４０ｍｍ（図６）。
【００５７】
0006371377.tif 000012
【００５８】
0006371377.tif 000013
【００５９】
0006371377.tif 000014
【００６０】
これは、小型レンズ（２，４）のための透過領域（図７参照）を記述する。この例示的に選択されたプロジェクタ小型レンズの透過領域のために、以下が、生じる。
【００６１】
0006371377.tif 000015
【００６２】
全体のアレイプロジェクタの透過領域が、特許文献１によれば従来のものの一つを有する拡張焦点深度と比較される場合、２６％の相対的な光損失が生じる。
【００６３】
0006371377.tif 000016
【００６４】
本発明による操作されたオブジェクト構造を有するアレイプロジェクタの深度依存マッピング特性は、投射されるべき光パターンに大きく依存し、従来の単一チャンネル投射システムの１つから基本的に大きく異なる。例示的に、非常に簡易化された実施例は、単純な明暗のエッジのマッピングが、異なる光学システムがその後２つの等価なシステムを比較することが可能であるように振舞う結果、以下に示される。
【００６５】
以下に、アレイプロジェクタの光学的マッピングがどのように従来の単一チャンネルプロジェクタの一つか一つの設定された距離を有するアレイプロジェクタと異なるかが、明暗のエッジに基づいて調べられる。ここで、区別が、行われた。
【００６６】
a)投射光学系の背面焦点距離（実施例において５３３ｍｍ）によって与えられる、個々のチャンネルＬfocの投射距離、および、
b) 焦点画像が上記した装置または方法によって生成された設定距離（実施例において４００ｍｍおよび８００ｍｍ）。
【００６７】
図８は、従来のプロジェクタ（曲線６０）のための明暗エッジおよび拡張焦点深度（ＥＤｏＦ）を有するアレイプロジェクタのマッピングの分析シミュレーションの結果を示す。特に、図８は、４００ｍｍ、５３３ｍｍおよび８００ｍｍで従来のプロジェクタ（曲線６０）およびＥＤｏＦ（曲線６２）を有するアレイプロジェクタによる明暗エッジのマッピング特性の比較を示す。図形の横座標は、像空間の横方向の座標に対応する。１０ｍｍの展開を有する領域が、示される。単一チャンネルプロジェクタは、８，８×８，８ｍｍ（正方形の開口）の横方向拡張を有し、一方で、１１×１１の個々のプロジェクタ小型レンズのアレイは、０，８×０，８ｍｍの単一拡張から構成される。各プロジェクタ小型レンズの背面焦点距離は、マッピング方程式に従って５３３ｍｍにセットされる。ＥＤｏＦを有するアレイプロジェクタの設定された距離は、４００ｍｍおよび８００ｍｍである。
【００６８】
分析から、提案された装置が広い投射距離範囲全体の画像エッジの可視性を改善し得ることが分かる。画像において、古典的な単一チャンネルプロジェクタに反して、エッジ中心Kcenterのシフトと同様に非設定距離でマッピングが生じるとき、両方の非対称のぶれ挙動が明らかになる。
【００６９】
同上は、以下で定められ得る：
【００７０】
0006371377.tif 000017
【００７１】
これは、ピンぼけのため生じている不鮮明を考慮することにより、すべてのチャンネルの重畳の（相対的な）明暗度において生じる。
【００７２】
像空間の非対称のエッジ展開反応のため、以下のケースを区別することが、必要とされる。照射された領域に拡大しているエッジの縁辺は、Ｋbrightによって参照される。同様に、Ｋdarkは、暗い像領域にエッジの縁辺を特徴づける：
【００７３】
0006371377.tif 000018
【００７４】
これらの式は、例示的に選択された明暗分布（左は暗く、右は明るい）に適用される。逆のケースは、類似した結果となる。選択された投射距離、ここでは、例示的に４００ｍｍ、５３３、８００ｍｍのために、図９は、上部で暗いエッジ領域６６および明るいエッジ領域６８の領域を示す。一番下で、従来のプロジェクタのぶれ挙動は、点線およびＥＤｏＦ（領域）を有するアレイプロジェクタで例示される。両システムは、８，８×８，８ｍｍ2の同一の全口径を有する。非対称のエッジ不鮮明（曲線７０、７２）およびエッジシフト（曲線７４）が、鮮明に見える。
【００７５】
エッジ位置の図示のシフトは、設定された距離で光パターンを適応させることによって弱められ得る。
【００７６】
その効果は、以下の通りである。従来の単一チャンネルプロジェクタは、以下のパラメータにより定義される。開口：Ｄ＝８，８ｍｍ（四角），焦点距離：Ｌfoc＝５３３ｍｍ、そして、以下で、その瞳孔が４００ｍｍおよび８００ｍｍの距離で、提案された配置に関して同じぶれ挙動を有するためにいかに減少されなければならないかが、検査される。式（３）の評価は、単一チャンネルプロジェクタの瞳孔が１，４６ｍｍに限られていなければならないことを示し、それは、ほぼ３％までの光束の減少に対応する。焦点深度の拡張（ＥＤｏＦ）のために、本願明細書において示唆される配置を使用することにより、この値は、ほぼ７４％の光束により対向される（実施例：明るい長方形、上記を参照）。ここで、提案されたシステムのこの伝送ロスは、投射されるべき画像または選択された設定距離に大きく依存する点に留意する必要がある。典型的な画像コンテンツおよび投射距離のために、６０％超（＞６０％）の値が、期待されている。
【００７７】
上記の記述に関して、図１０は、複数の投射チャンネルを有するマルチ開口投射型ディスプレイ用の単一像生成器のための実施例を示す。通常、単一像生成器は、参照番号８０によって示される。図１０の単一像生成器８０は、異なる投射距離、例えば距離Ｌ1およびＬ2での画像３８および４０、で投射されるべき少なくとも２つの画像を表す画像データ８４を受信するための画像データ入力８２を含む。更に、単一像生成器８０は、マルチ開口投射型ディスプレイ、例えば正確にそれらの画像４８および５０、の投射チャンネル１２につき暫定的単一像を、投射されるべき少なくとも２つの画像の各々のために、算出するために実装された単一像計算機８６を含む。単一像生成器８０の結合器８８は、投射チャンネルごとに、それぞれの投射チャンネルのための最終的単一像に投射されるべき少なくとも２つの画像、例えば図４ａに図示したように、まさにそれらの最終的単一像など、のために算出されたそれぞれの投射チャンネルの暫定的単一像を結合する。既述のごとく、投射等されるべきより多くの画像に対する拡張は、可能でもある。
【００７８】
基本的に、図１０もそれぞれの単一像生成方法のステップを示す。すなわち、８２で画像データを受信し、８６で暫定的単一像を算出し、８８で同上を結合する。以下の詳細な機能説明は、このようにそれぞれの方法の説明としても理解される。
【００７９】
図１０による画像生成もより詳細に記載される前に、図１０による画像生成が、オフラインまたはオンラインで実行され得る点に留意する必要がある。これは、以下を意味する。例えば図１の実施例における単一像生成は、制御２０の範囲内で実行され得る。それから、所望の画像３８および４０を示している画像データ８４を送り込むことは可能であり、そして、従って、単一像生成は、それから、同上は最後に算出された単一像を示すように、図１の単一像生成器１４を制御する。しかしながら、図１０の単一像生成器または単一像生成方法は、純粋な設計ツールまたは単一像生成器１４がマスクから形成される場合の単一像生成器１４、例えばマスク、を製造するための製造方法の一部でもあり得る。後の変形例は、図１０において破線で描いた箱９０において要約され、それは、「単一像生成」によって示される。このように、同上は、マスク生成器またはマスク生成であり得る。代わりに、８８を結合する結果は、例えば格納された形で、適切なデータ担体上にデータを出力することもあり得る。そして、それが組合せから生じるように、単一像３０の配置を表す。
【００８０】
上述したように、単純なケースは、画像データ８４がバイナリの態様、すなわち、専ら明るい領域４４および暗い領域４６だけから成る、で投射されるべき少なくとも２つの画像３８および４０を表す、ということである。この場合、例えば、各画像３８または４０が投射されるために、暫定的単一像３０のそれぞれのアレイまたは暫定的単一像自体が、光学系１４のアレイを介した対物面４２への背景投射を表すように、計算機８６における単一像算出は、例えば、画像３８または４０の各々が投射されるために、暫定的単一像３０のアレイを算出する。図３において、４８または５０で例示的に示されるように、その結果は、バイナリの暫定的単一像である。これは、算出が、マルチ開口投射型ディスプレイ１０の光学的パラメータ、例えば光学的マッピングパラメータ、例えば、投射距離Ｌ1、Ｌ2、開口中心距離ｐ、撮影距離ｄおよび任意の可能性のある更なるパラメータ、を用いて実行されることを意味する。しかしながら、計算は、より複雑でもあり得る。特に、同上は、一意的である必要はない。例えば、光軸３４と直角をなさないあるいはカーブさえしなかった投射面のための算出を実行することは可能であろう。そのために、参照が、特許文献２に例示的になされる。例えば焦点を増加させるために、画像部分は、チャンネルとは異なって分布され得る。
【００８１】
それから、例えば上述した論理演算、すなわち、論理１が明るい部分に対応する場合の論理積演算および論理１が暗い部分に対応する場合の論理和演算、によって、結合器８８は、バイナリの暫定的単一像の組合せまたは２値の暫定的単一像の配置を実行する。結果は、このように、チャンネルにつき最終的なバイナリの単一像または、上述のように、例えば、透過するか、反射するか、自発光部分を表し得る、暗いあるいは明るい部分を有するこの種の最終的な単一像の配置である。透過性マスクの場合、それぞれのクロムマスクも、上述されたように製造される。さもなければ、ピクセル化されたイメージャは、明るいあるいは暗い領域を示すための適切な方法で制御される。
【００８２】
他の選択肢は、投射されるべき画像３８または４０は、画像データ８４によりバイナリの態様において表されないことである。このように、同上は、より大きい値を有し得て、それらは、例えば、三値であり得る。この場合、投射されるべき画像３８につき、計算された暫定的単一像は、バイナリであるが、同上が重畳されるときに、各投射距離で、投射されるべき多値画像３８を生じるように、単一像計算機８６は、例えば、その計算において画像３８および４０の異なる値を有する部分を、チャンネル１２の様々な量に分配する。結合器８８の組合せは、投射すべき純粋にバイナリイメージ３８または４０の場合におけるように、再び正確に機能する。
【００８３】
0006371377.tif 000019
【００８４】
単に完全性のために、図１１および１２も、他の実施例によれば、上記の通りの効果を有するマルチ開口投射型ディスプレイが、適切なフェードイン領域、例えば乗物の窓９２を介して人の視野におけるバーチャル映像として画像３８および４０をフェードインするためのヘッドアップディスプレイとして、または、視聴者の目９４の視野にバーチャル映像として画像３８または４０をフェードインするためのニアアイディスプレイとして、例えば電子メガネの形として、実現し得ることを示す。図１１の場合、単一像生成器１４は、例えば、一般のマスクの部分または一般のディスプレイの部分である。
【００８５】
図１に反して、単に入射瞳中心距離は、図１１の場合における単一像中心距離よりも大きく、表示の拡大、すなわち、投射光学系開口により全面的に覆われた領域は、ディスプレイが使用者に画像３８または４０を示し得る立体角領域の展開Ｄ（図１５参照）により決定される。図１１の場合、個々のチャンネル１２は、フェードインが実行されるのを見た人の眼球運動ボックスをカバーするのに役立つ。図１２の場合、例示的に、反射マスクのような、反射的に操作する単一像生成器１４が、備わっている。照明は、光学系１６および単一像生成器１４の間にビームスプリッタ９４を介して実行される。反射的な単一像生成器１４は照射されて、単一像によって定義される位置で、目９４にビームスプリッタおよび光学系１６によって光を反射するように、光源２２は、発散光源９６および横方向にコリメート光をビームスプリッタ９４に導くコリメータ９８によって形成され、ここで、単一像のマッピングは、バーチャル画像３８または４０を形成するために網膜に重畳される。
【００８６】
以下の注釈は、上記の通りの実施例が拡張され得ないかまたは補正され得ないという印象を払拭するための前記実施例に関して作成される。
【００８７】
1) 前記実施例は、２値の光パターンを投射することに特に適しているが、階調レベル画像に拡張もなし得る：
ｏ定義済みの数を有する異なるバイナリイメージを重畳することにより
ｏ定義済みの数を有する適切な階調値スライドを重畳することにより
2) 生成着色した画像コンテンツは、ポイント１まで類似して実行され得る）。
おそらく、光パターンは、数学的演算を実行する前に、その原色部に分離されることになっている。
【００８８】
0006371377.tif 000020
【００８９】
前記実施例において、本明細書の導入部において説明されたように、従来技術の投射システムと比較して、更なる機械的手段のない投射距離全体の交互光パターンを投射する固有のオプションが、存在する。具体例として、定義済みの距離範囲全体の光パターンを維持することが生じる。これに対する光学的推法が考慮される（焦点深度拡張）場合、古典的システムと比較して、システム伝送の大幅な利得および、それ故、効率増加が生じる。前記実施例は、別々の制御または制御回路を必要とすることなく、異なるジオメトリ上の異なるパターンまたは投射距離を生成するこれらの効果またはマッピング特性を提供する。
【００９０】
このように、前記実施例は、異なる投射距離またはスクリーンジオメトリで複数の高ハイコントラスト光パターンの光学的イメージングを可能にする。記載されている実施例によってもカバーされる具体的な事例は、様々な投射距離またはジオメトリの全体の固定光パターンの維持である。画像コンテンツを交互に生成するときに技術的なソリューションが知られていない間に、焦点深度を増加させる重要な技術的利点が、有効なシステム伝送の大幅な増加である。記載されているマッピング特徴を生成するために、レンズまたは瞳孔の機械的な変更は、必要とされない。単にオブジェクト構造だけが操作され、そこにおける、正確な技術的設計が、上記で記載されている。画像コンテンツの操作に対する制約は、簡単、小型、かつ、頑強な保護システムを可能にする。
【００９１】
異なる画像コンテンツの距離に依存する表示のための、そして、焦点深度を拡張するための前記実施例の応用可能な分野は、例えば、構造化照明および情報ディスプレイと同様に３Ｄ測定技術である。
【００９２】
若干の態様が装置に関連して記載される一方で、装置からのブロックまたは装置は、それぞれの方法ステップとして、または、方法ステップの特徴として見なされ得るように、これらの態様もそれぞれの方法の説明を表すことは明らかである。同様に、方法ステップに関連して、または、方法ステップとして記載された態様は、対応ブロックまたは対応装置の詳細または特徴の説明を表す。方法ステップのいくつかまたは全ては、例えば、マイクロプロセッサ、プログラム可能なコンピュータまたは電子回路のような、ハードウェア装置により（または、を使用することにより）実行され得る。いくつかの実施形態では、いくつかまたは最も重要な方法ステップのいくつかは、この種の装置により実行され得る。
【００９３】
特定の実施要件に応じて、本発明の実施例は、ハードウェアにおいて、または、ソフトウェアにおいて実装され得る。実施は、デジタル記憶媒体、例えばそれぞれの方法が実行されるように、それは協同することができるか、あるいはプログラム可能なコンピュータシステムと協同され得る、その上に記憶された電子的に可読な制御信号を有するフロッピー（登録商標）ディスク、ＤＶＤ、ブルーレイ、ＣＤ、ＲＯＭ、ＰＲＯＭ、ＥＰＲＯＭ、ＥＥＰＲＯＭまたはＦＬＡＳＨメモリ、ハードドライブまたは他の磁気または光メモリ、を使用して実行され得る。従って、デジタル記憶媒体は、計算機可読でもよい。
【００９４】
本発明によるいくつかの実施例は、本願明細書において記載されている方法のうちの１つが実行されるように、プログラム可能なコンピュータシステムと協同し得る、電子的に可読な制御信号を有するデータ担体を含む。
【００９５】
通常、本発明の実施例は、プログラムコードを有するコンピュータプログラム製品として実装され得る。そして、コンピュータプログラム製品がコンピュータで実行されるときに、プログラムコードは、方法のうちの１つを実行するために動作する。プログラムコードは、機械可読担体に例えば格納され得る。
【００９６】
他の実施例は、本願明細書において記載されている方法の１つを実行するためのコンピュータプログラムを含み、コンピュータプログラムは、機械可読担体に格納される。
【００９７】
換言すれば、本発明の方法の実施例は、従って、コンピュータプログラムがコンピュータで動くとき、本願明細書において記載されている方法のうちの１つを実行するためのプログラムコードを有するコンピュータプログラムである。
【００９８】
本発明の方法の更なる実施例は、従って、その上に記録されて、本願明細書において記載されている方法の１つを実行するためのコンピュータプログラムを含むデータ担体（またはデジタル記憶媒体またはコンピュータ可読媒体）である。
【００９９】
本発明の方法の更なる実施例は、従って、本願明細書において記載されている方法のうちの１つを実行するためのコンピュータプログラムを表すデータストリームまたは一連の信号である。データストリームまたは信号のシーケンスは、データ通信接続、例えばインターネット、を介して転送されるように、例えば構成され得る。
【０１００】
更なる実施例は、本願明細書において記載されている方法の１つを実行するように構成されたあるいは実行するのに適した処理手段、例えばコンピュータまたはプログラム可能な論理装置、が具備されている。
【０１０１】
更なる実施例は、本願明細書において記載されている方法の１つを実行するためのコンピュータプログラムがインストールされたコンピュータが具備されている。
【０１０２】
本発明による更なる実施例は、本願明細書において記載されている方法の１つを実行するためのコンピュータプログラムをレシーバに転送するように構成される装置またはシステムが具備されている。転送は、電子的、あるいは、光学的であり得る。レシーバは、例えば、コンピュータ、モバイル機器、メモリデバイス等でもよい。装置またはシステムは、例えば、コンピュータプログラムをレシーバに転送するためのファイルサーバを含み得る。
【０１０３】
いくつかの実施形態では、プログラム可能な論理装置（例えばフィールドプログラマブルゲートアレイ）は、本願明細書において記載されている方法の機能のいくつかまたは全てを実行するために使用され得る。いくつかの実施形態では、フィールドプログラマブルゲートアレイは、本願明細書において記載されている方法の１つを実行するために、マイクロプロセッサと協同し得る。通常、実施例によっては、方法は、任意のハードウェア装置により好ましくは実行される。同上は、コンピュータプロセッサ（ＣＰＵ）のような広く使用され得るハードウェアまたは例えばＡＳＩＣのような特定の方法向けのハードウェアであり得る。
【０１０４】
上述した実施例は、本発明の原理のための一例にすぎない。配置の修正および変更および本願明細書において記載されている詳細は、他の当業者にとって明らかであるものと理解される。従って、本発明が以下の特許請求の範囲のみにより制限され、本願の実施例の明細書および説明に示された詳細な情報により制限されないことが、意図される。
【参考文献】
【０１０５】
[1] W.J. Smith, Modern Optical Engineering (McGraw-Hill, 2007).
[2] DE102009024894A1
[3] DE102011076083A1
[4] Marcel Sieler, Peter Schreiber, Peter Dannberg, Andreas Braeuer, and Andreas Tuennermann, "Ultraslim fixed pattern projectors with inherent homogenization of illumination," Appl. Opt. 51, 64-74 (2012).
【図１】
0006371377.tif 000022
【図２】
0006371377.tif 000023
【図３】
0006371377.tif 000024
【図４ａ】
0006371377.tif 000025
【図４ｂ】
0006371377.tif 000026
【図４ｃ】
0006371377.tif 000027
【図４ｄ】
0006371377.tif 000028
【図４ｅ】
0006371377.tif 000029
【図５】
0006371377.tif 000030
【図６】
0006371377.tif 000031
【図７】
0006371377.tif 000032
【図８】
0006371377.tif 000033
【図９】
0006371377.tif 000034
【図１０】
0006371377.tif 000035
【図１１】
0006371377.tif 000036
【図１２】
0006371377.tif 000037
【図１３】
0006371377.tif 000038
【図１４】
0006371377.tif 000039
【図１５】
0006371377.tif 000040
【図１６】
0006371377.tif 000041